(57)【要約】      （修正有）【課題】鋼線本体損傷しない、締め付け効果の良い鋼線固定金具を提供する。【解決手段】該固定金具１０は、ナット部１と、ばね部材２と、ベアリング固定部材３と、固定座４で、構成される。固定金具１０の１段目は、固定機能段、固定座は主要部材となる。２段目は、ロック調整機能段、ナット部と、ばね部材と、ベアリング固定部は主要部材となる。上記の２段目のナット部と、１段目の固定座の螺着して、固定金具を構成する。【選択図】図５
0003155530.tif 000002
【実用新案登録請求の範囲】
【請求項１】
鋼線固定金具であって、その特徴は、１つのナット部と；１つのばね部材と；１つのベアリング固定部材と；１つの固定座で、構成されて；前記ナット部は、上端部に貫通孔を設け、内縁側壁に雌ねじを有し；前記貫通孔に、鋼線を穿入し；内縁壁側に雌ねじが、固定座の螺着部と螺着結合する；前記ばね部材は、ベアリング固定部材とナット部の間に設け、鋼線のスリーブ軸受けとなり、鋼線の伸張ストレスを受け作動し；前記ベアリング固定部材は、上部にベアリング部を設け、該ベアリング部には、ベアリング・ボールを内蔵して、ベアリング固定部材の中軸の嵌設でベアリング・ボール３２の脱出を防ぎ；鋼線は、中軸に穿入して、傍に配置されたロック部材より、堅くロックされ；前記固定座は、底部に貫通孔を設け、ロック部材で貫通して、固定座を底基面に固定ロックし、さらに、固定座上端部の螺着部を、ナット部に螺着されることで、構成されることを特徴とする鋼線固定金具。
【請求項２】
前記固定座は、旋回部より、旋回式固定金具となることを特徴とする請求項１に記載の鋼線固定金具。
【請求項３】
前記ベアリング固定部材の傍に配置された前記ロック部材は１つ或いは１つ以上でロックされることを特徴とする請求項１に記載の鋼線固定金具。
【考案の詳細な説明】
【技術分野】
【０００１】
この考案は鋼線固定金具に関し、特に鋼線本体の損傷しない、締め付け効果の良い鋼線固定金具関する。
【背景技術】
【０００２】
従来の鋼線固定金具は、鋼線の末端に固定バックルを設け、結び目で締め付けられるとか、固定バックルで留まるとかで、実施された。
【考案の開示】
【考案が解決しようとする課題】
【０００３】
前記従来の鋼線固定金具では、下記の欠点があります。
１．従来の鋼線固定金具では、固定が確実でなく、安全上の恐れがある。
２．従来の鋼線固定金具では、末端の固定バックルが、固定端だけではなく、まして、受力端でもあり、伸張力とトルク力を受け、鋼線本体の損傷と、固定バックルの変形、或いは、脱落となり、災難の種の恐れがある。
３．従来の鋼線固定金具では、組み立てに不便があり、機能に不足がある。
この考案は、以上の欠陥を改善し、特に鋼線本体の損傷しない、締め付け効果の良い鋼線固定金具を提供することを課題とする。
【課題を解決するための手段】
【０００４】
そこで、本考案者は従来の技術に見られる欠点に鑑み鋭意研究を重ねた結果、本考案を完成させた。この考案による固定金具は、１つのナット部と；１つのばね部材と；１つのベアリング固定部材と；１つの固定座で、構成される固定金具。固定金具の１段目は、固定機能段、固定座は主要部材となり；２段目は、ロック調整機能段、ナット部と、ばね部材と、ベアリング固定部は主要部材となり；２段目のナット部と、１段目の固定座の螺着で、この考案の固定金具の結合式となる。
【考案の効果】
【０００５】
この考案の鋼線固定金具によれば、下記の効果があります：
１．高強度の固定であり、固定が確実ので、より安全で使用できる。
２．調整機能つきので、鋼線本体の損傷は、より発生しないので、鋼線の寿命が延長られる。調整機能とは、鋼線長さの微調整と、鋼線のストレスの調整と、鋼線のトルク補償の緩めと、鋼線のストレスの緩めとの４つの利点がある。
３．固定金具の組み立てが、簡易となり、作業に便利となる。
【実施例】
【０００６】
図１に，この考案の実施例による鋼線固定金具構造を示した説明図を開示する。図面によれば、固定金具１０は、鋼線６の両端におり、上端の固定金具１０には、固定座４と、旋回部１００との結合で、「旋回式」となり；下端の固定金具１０には、固定座４との結合で、「直筒式」となり、図６によれば、この考案の鋼線固定金具の懸垂フレーム応用にもできる。
図２に，この考案の実施例による固定金具の各部材の分解斜視図を開示する。図面によれば、この考案実施例による固定金具１０は、１つのナット部１と；１つのばね部材２と；１つのベアリング固定部材３と；１つの固定座４で、構成される固定金具１０。図５によれば、固定金具１０の１段目は、固定機能段、固定座４は主要部材となり；２段目は、ロック調整機能段、ナット部１と、ばね部材２と、ベアリング固定部３は主要部材となり；２段目のナット部１と、１段目の固定座４の螺着で、この考案の固定金具１０の結合式となる。
前記固定座４は、底部の貫通孔４０に、ロック部材４０１で貫通して、固定座を底基面５に固定ロックする、さらに、固定座４上端部の螺着部４１を、ナット部１に螺着し、２段目のロック調整機能と固定座４の螺着で、鋼線長さの微調整と、鋼線のストレスの調整と、鋼線のトルク補償の緩めと、鋼線のストレスの緩めの４つの利点がある。
図２，５に示されたように、ナット部１は、上端部に貫通孔１１を設け、内縁側壁に雌ねじ１２を有し；貫通孔１１には、鋼線６を穿入し、ベアリング固定部材３にロックされ、その間、ばね部材２を配置しており；内縁側壁に雌ねじ１２が、固定座４の螺着部４１と螺着結合する。
図３，４に示されたように、ベアリング固定部材３は、上部のベアリング部３１より、廻旋機能を発揮する、ベアリング部３１には、ベアリング・ボール３２を内蔵して、ベアリング固定部材３の中軸３３の嵌設でベアリング・ボール３２の脱出を防ぎ；鋼線６は、中軸３３に穿入して、傍に配置された１つ或いは１つ以上のロック部材３０より、堅くロックされ、上部ベアリング部３１の廻旋に、全然影響されなくなる。
図５に示されたように、固定部１０と鋼線６の対応運動は、ナット部１のねじ回しの調整で、鋼線６の長さの微調整と鋼線６のストレスの調整ができる；なお、ばね部材２の作用で、鋼線６のストレスの緩めができて、さらに、重要のは、ベアリング固定部材３の作用で、鋼線６のトルク補償の緩めより、鋼線の損傷も緩めなって、固定金具１０のロック具合調整と結合は、し易くと確実なりので、ナット部１もトルク・ストレスよりの退位と、作業安全の影響も発生されなくなる。
【図面の簡単な説明】
【０００７】
【図１】この考案の実施例による鋼線固定金具構造を示した説明図である。
【図２】この考案の固定部の各部材の分解斜視図である。
【図３】この考案のベアリング部の各部材の分解斜視図である。
【図４】この考案のベアリング部の正面断面図である。
【図５】この考案の鋼線固定金具の正面断面図である。
【図６】この考案の鋼線固定金具の懸垂フレーム応用の説明図である。
【符号の説明】
【０００８】
１         ナット部
１０       固定金具
１１       貫通孔
１２       雌ねじ
２         ばね部材
３         ベアリング固定部材
３０       ロック部材
３１       ベアリング部
３２       ベアリング・ボール
３３       中軸
４         固定座
４０       貫通孔
４１       螺着部
４０１     ロック部材
５         底基面
６         鋼線
１０       固定部
１００     旋回部
【図１】
0003155530.tif 000003
【図２】
0003155530.tif 000004
【図３】
0003155530.tif 000005
【図４】
0003155530.tif 000006
【図５】
0003155530.tif 000007
【図６】
0003155530.tif 000008